(57)【要約】【課題】      底面部が平らに形成された水汲みバケツは底面部による踏ん張りがきかず、倒れやすいこと。  また、容器本体の折り畳み状態を維持する係止部に糸が絡みやすく破損しやすいこと。【解決手段】  釣り用水汲みバケツ１は容器本体２とロープ１３を有し、容器本体２の底面部４は、中央側が高くなるように湾曲して設けられ接地面４ａ側は中央側に凹部５が形成され、周辺部４ｃが接地するようになっている。また、底面部４の凹部５内に係止部６を設け、容器本体２を折り畳んだ時、開口部９に設けた係合部７と係合可能になっており折り畳み状態が維持される。【選択図】        図２
2006262856.tif 000002
【特許請求の範囲】
【請求項１】
可撓性を有する合成樹脂シートで形成した上方に開口部を有する容器本体とロープを有する釣り用水汲みバケツにおいて、前記容器本体の底面部の接地面側の中央側が凹状に形成されていることを特徴とする釣り用水汲みバケツ。
【請求項２】
底面部は中央側が高くなるように湾曲して設けられていることを特徴とする請求項１記載の釣り用水汲みバケツ。
【請求項３】
底面部は周辺側が合成樹脂シートによる複数の層で形成されていることを特徴とする請求項１または２記載の釣り用水汲みバケツ。
【請求項４】
底面部の凹部に係止部を設け、開口部に係合部を設けたことを特徴とする請求項１乃至３記載の釣り用水汲みバケツ。
【請求項５】
係合部は開口部に設けたベルトに取り付けたことを特徴とする請求項１乃至４記載の釣り用水汲みバケツ。
【発明の詳細な説明】
【技術分野】
【０００１】
本発明は、釣り場で水を汲むための釣り用水汲みバケツに関する。
【背景技術】
【０００２】
釣り用水汲みバケツは、釣り場で水を汲んで餌を作ったり、釣り具を洗ったり、釣り場の清掃を行うために使用されている。
したがって、釣りを行う前と後に使用するが、釣りをしている時は、足元に置いておくことが多く、水の入っていない空の状態で置いておくと動いて倒れ易かった。
【０００３】
特許文献１の公報には、底面部が平らに形成された水汲みバケツが紹介されている。
このような水汲みバケツは、底面部による踏ん張りがきかず、水の入っていない空の状態で置いておくと僅かな傾斜でも横滑りして倒れやすく、また、風によって横に押されると動き易い欠点がある。
【０００４】
さらに、特許文献２の公報には、容器本体を折り畳んで、その折り畳み状体を維持するために係止具を有している釣り用バケツが紹介されている。
しかし、底部近傍の係止部が上方を向いて容器本体外側に突出するため破損や釣り糸の絡み等の心配がある。
【特許文献１】特開２０００−３５０５４２号公報
【特許文献２】特開２００４−８１１７２号公報
【発明の開示】
【発明が解決しようとする課題】
【０００５】
解決しようとする課題は、底面部が平らに形成された水汲みバケツは水の入っていない空の状態で釣り場の傾斜した地面や凹凸状の地面に置いておくと底面部による踏ん張りがきかず、倒れやすいことである。
また、容器本体の折り畳み状態を維持する係止部に糸が絡みやすく破損しやすいことである。
【０００６】
本発明の目的は前記欠点に鑑み、水の入っていない空の状態で釣り場に置いても倒れにくい釣り用水汲みバケツを提供することである。
また、本発明のもう１つの目的は、容器本体の折り畳み状態を維持する係止部糸の絡みや破損を防止することである。
【課題を解決するための手段】
【０００７】
上記課題を解決するために、
請求項１に係わる本発明は、可撓性を有する合成樹脂シートで形成した上方に開口部を有する容器本体とロープを有する釣り用水汲みバケツにおいて、前記容器本体の底面部の接地面側の中央側が凹状に形成されていることを要旨とするものである。
請求項２に係わる本発明は、底面部は中央側が高くなるように湾曲して設けられていることを要旨とするものである。
請求項３に係わる本発明は、底面部は周辺側が合成樹脂シートによる複数の層で形成されていることを要旨とするものである。
請求項４に係わる本発明は、底面部の凹部に係止部を設け、開口部に係合部を設けたことを要旨とするものである。
請求項５に係わる本発明は、係合部は開口部に設けたベルトに取り付けたことを要旨とするものである。
【発明の効果】
【０００８】
本発明の請求項１及び２の発明によるとにより、釣り用水汲みバケツの底面部の接地面側の中央側を凹状に形成しているため周辺側で接地して地面に置いた時に安定する。
請求項３の発明によると接地する底面部の周辺側が強化され地面との接触に対し破損が防止される。
請求項４及び５の発明によると容器本体の折り畳み状態が維持できると共に、容器本体の折り畳み状態を維持する係止部を底面部の凹部に設けたので糸の絡みとその破損を防止できる。
【発明を実施するための最良の形態】
【０００９】
以下、本発明の実施形態を図面に基づき説明すると、図１から図４は本発明の実施例で、図１は釣り用水汲みバケツの正面図、図２は釣り用水汲みバケツの断面図、図３は釣り用水汲みバケツの底面図、図４は折り畳んだ釣り用水汲みバケツの容器本体の断面図である。
【００１０】
図１及び図２によると、釣り用水汲みバケツ１は、内部に水を入れる収納部８を有する容器本体２を有しており、この容器本体２は、底面部４、側面部３を有している。
容器本体２は、ポリ塩化ビニルやエチレン酢酸ビニル等の合成樹脂から成る可撓性を有する合成樹脂シートを用いて防水性を有するように形成され、底面部４と側面部３の端部を溶着やその他の手段で接合して上方に開口部９を有する容器本体２が形成されている。
【００１１】
容器本体２の底面部４は、図３のように四角形に形成され、容器本体２はこれに応じて平面視で四角形の容器となっており、また、底面部４が開口部９より小さくなっているため側面部３は開口部９から底面部４に向かって僅かに収斂するように傾斜して形成されている。
【００１２】
容器本体２は、その側面部３の上端部がフレーム１０にて外側へ折り返され、その折り返し部３ａが側面部３の外側面に止着され開口部９が形成されている。
この開口部９には、一対のハンドルの取付部１１が開口部９の対向位置に取り付けられ、この取付部１１にコ字状に形成したハンドル１２の両端部がそれぞれ回動自在に取り付けられ、ハンドル１２は開口部９に起立及び倒伏可能に架設される。
【００１３】
ハンドル１２には容器本体２を吊り下げるロープ１３の一端部側が取り付けられており、その他端部側は捲回具１４に捲回されて取り付けられ、容器本体２に水を汲む時に必要な長さを解いて出せるようになっている。
【００１４】
容器本体２の底面部４は、その周辺部４ｃが側面部３の下端部と重合されて接合され２層に形成されており、周辺部４ｃは側面部３の外側に突出している。
また、底面部４は、中央側が高くなるように湾曲して設けられており、これにより、底面部４の収納部８側の内側面４ｂは中央側が高く盛り上がる様に突出し、接地面４ａ側は中央側に凹部５が形成され、凹部５は接地面４ａの中央側なるにしたがい地面Ｊからの距離が離れるように湾曲する凹状に形成されている。
【００１５】
また、四角形に形成された底面部４の周辺部４ｃのそれぞれの四辺は、その中間部側が高くなるように上方に湾曲しており、図３のようにそれぞれの四辺の両端側にあたる角部が水を入れない状態の空の容器本体２が地面Ｊと接する接地部４ｄ（周辺部４ｃの砂模様を付した部分）となっている。
【００１６】
底面部４の周辺部４ｃはその上に側面部３の下端が重ねられて容着等で一体化されて２層になっており底面部４の中央側よりも厚味と剛性が大きく歪みにくくなっている。
また、周辺部４ｃの外側には側面部３と底面部４を構成する合成樹脂シートの端面が側面部３の外側に露呈して突出する。
【００１７】
したがって、容器本体２を地面Ｊに置いた場合、底面部が平らであれば地面に食いついて横滑りを止めることが難しいが、底面部４の凹部５と周辺部４ｃの境界に段差が形成されるため地面Ｊの凹凸が上記段差にて周辺部４ｃに当たり容器本体の滑りを防止することが出来る。
また、底面部４の周辺部４ｃは中央側よりも厚味と剛性が大きく歪みにくくなっているため、地面Ｊに食い込みやすく容器本体２を安定させることができ、破損もしにくくなっている。
【００１８】
また、底面部４の中央側に凹部５が形成されているため、地面Ｊに突部があってもある程度凹部５内に収めて接地部４ｄが接地することができるため、底面部を平らにした場合の地面Ｊの突部を中心にしてぐらつきが生じることを防止できる。
【００１９】
さらに、容器本体２は側面部３の上方の開口部９のそれぞれ４つの角部近傍に係合部７を取り付け、底面部４の接地面４ａの凹部５内の４つの接地部４ｄ（角部）近傍に上記係合部７と係合可能な係止部６を取り付けている。
係合部７は、側面部３と折り返し部３ａの間に一端側が止着され下方に垂下するベルト７ｂとそのベルト７ｂの他端側の内側に取り付けた雄スナップ７ａを有し、底面部４の接地面４ａの凹部５内の係止部６は雌スナップ６ａからなり、雌スナップ６ａが地面Ｊの方向（下方）を向いて取り付けられている。
【００２０】
図４のように、容器本体２は可撓性を有する合成樹脂シートから成る側面部３を折り曲げて上下に押しつぶすようにして底面部４を開口部９に近づけて折り畳むことが出来る。
そして、係合部７のベルト７ｂを周辺部４ｃを介して底面部４側に延ばして雄スナップ７ａを底面部４の係止部６の雌スナップ６ａに係合することで折り畳んだ容器本体２が広がることが防止され、折り畳み状態が維持されて持ち運びが容易になる。
【００２１】
容器本体２を折り畳まず使用可能な状態にして底面部４の接地部４ｄにて接地した状態で、底面部４の係止部６は凹部５内に設けられているため容器本体が動いても地面Ｊに強く当たりにくく破損しにくい。
なお、本実施例では、容器本体２を折り畳まず使用可能な状態にして地面Ｊが平らであれば周辺部４ｃの接地部４ｄが接地し、係止部６は接地しないためさらに破損が防止できる。
【産業上の利用可能性】
【００２２】
本発明は、釣り用水汲みバケツ全般に利用できる。
【図面の簡単な説明】
【００２３】
【図１】釣り用水汲みバケツの正面図である。
【図２】釣り用水汲みバケツの断面図である。
【図３】釣り用水汲みバケツの底面図である。
【図４】折り畳んだ釣り用水汲みバケツの容器本体の断面図である。
【符号の説明】
【００２４】
１  釣り用水汲みバケツ
２  容器本体
３  側面部
４  底面部
５  凹部
６  係止部
７  係合部
１２  ハンドル
１３  ロープ
１４  捲回具
【図１】
2006262856.tif 000003
【図２】
2006262856.tif 000004
【図３】
2006262856.tif 000005
【図４】
2006262856.tif 000006